Podtech/llm-jp-corpus-v4-ja_patent huggingface dataset:
(57)【要約】      （修正有）【課題】従来の掃除機の収納には、ホース、吸入パイプ、及び、その付属品を片付けるには、収納庫のような割合広いスペースに入れていたが、普通の住居では便利な機器の割に邪魔者扱いであった。これを本体収納ではなく分離収納を可能とし取り扱い性を向上する。【解決手段】本体１に、吸入ホース掛け２、吸入先端パイプ掛け３及び付属品収納部４を設け、壁掛け又は、直接壁に取り付けることで、今まで床上、又は、押入れ棚上等に平面的に入れられていた物を、垂直に一箇所に一括収納できる構成とした。【選択図】図１
2012095977.tif 000002
【特許請求の範囲】
【請求項１】
本体に、掃除機の付属品を収納するための、（２）ホースかけ、（３）吸入先端部掛け、（４）付属品収納部等を設けたもの。
【請求項２】
壁掛け、または、取り付け仕様としたもの。
【発明の詳細な説明】
【技術分野】
【０００１】  この発明は掃除機の付属品を収納する棚である
【背景技術】
【０００２】  従来、掃除機の付属品を収納する物が無く、又、保管場所に苦労を余儀なくされていた
【先行技術文献】
【０００３】
【特許文献】
【特許文献】  無し
【非特許文献】
【非特許文献】  無し
【発明の概要】
【発明が解決しようとする課題】
【０００４】  家庭内において掃除機の利用価値は高いが、その収納に関しては誠に粗雑であり、掃除機本体に取り付けスペースを儲けていたが、うまく収納することはできなかった、之を本体収納ではなく分離収納するものである。
【課題を解決するための手段】
【０００５】  本体に吸入ホース、吸入先端パイプ、その他付属品を取り付け壁取付、または壁掛けとしたものだある。
【発明の効果】
【０００６】  第２図のごとく各付属品を取り付け壁などに取り付けまたは、紐などにてブラ下げることによりスペースの厚みが薄くなり掃除機本体が単体で片付ける事が出来すっきり収納が可能になる。
【図面の簡単な説明】
【０００７】
【図１】  Ａ  正面図  Ｂ  側面図  Ｃ  上面図  Ｄ  底面図
【図２】  取付収納例図
【発明を実施する為の形態】
【０００８】  以下、本発明を実施する為の形態について説明する。
本体（１）に、吸入ホース掛け（２）吸入先端パイプ掛け（３）及び付属品収納部（４）を設け壁掛け又は、直接壁に取り付けるものである。
【実施例】
【０００９】  この発明の実施例は、壁などに取り付けまたは吊り下げて、掃除機の付属品を平面的に収納して空間の合理的利用をする。
【産業上の利用分野】
【００１０】  掃除機等の付属品の収納の合理化を図り、かつ、現在の平面的収納を立体的に収納するものである。
【符合の説明】
１      本体
２      吸入ホース掛け
３      吸入先端パイプ掛け
４      付属品収納部
【受託番号】
【００１１】  無し
【図１】
2012095977.tif 000003
【図２】
2012095977.tif 000004
(57)【要約】【課題】年を取ると、頚椎の椎間板ヘルノアになり肩こり、頭痛、しびれ、動脈硬化、血行不良などの体調不良になる。【解決手段】この頚椎の椎間板ヘルノアに成り、体調不良を起こす、この症状を改善する為に、柔軟な材質を用い、頭の重みでテコの原理を利用し、頚椎を伸ばし、首の椎間板ヘルニアになった痛みや体調不良を改善する為に、首整体器具を使用する。【選択図】図１
2012095974.tif 000002
【特許請求の範囲】
【請求項１】
柔軟な材質を用い、頭の重みでテコの原理を利用し、頚椎を伸ばし、首の椎間板ヘルニアになった痛みや体調不良を改善する為の首整体器具。
【発明の詳細な説明】
【技術分野】
【０００１】本発明は、頭の重みで首の椎間板ヘルニアになった痛みや体調不良を改善する為に考案された首整体器具に関するものである。
【技術背景】
【０００２】従来、首の椎間板ヘルニアになると、首と足を双方から引っ張り頚椎を伸ばしたり、首の回転運動をして整体を行っていたが、効果が無かった。本発明の首整体器具を、腹這いになり、首の下に敷いて、アゴを支点にし、頭の重量を利用して、テコの応用で頚椎を伸ばす、この事に依り首の椎間板ヘルニアを解消することが出来、首の椎間板ヘルニアになった痛みや体調不良を改善する事が出来る首整体器具である。
【先行技術文献】
【特許文献】
【０００３】
【発明の概要】
【発明が解決しようとする課題】
【０００４】従来の、首の椎間板ヘルニアの整体器具は、首と足を双方から引っ張り頚椎を伸す器具しか無かった、この器具は大きく、扱いが悪く、実用的ではない。
この不便さを解消すべく、本発明品を考案した。
【課題を解決するための手段】
【０００５】本発明が解決しようとする首整体器具は、頭の重みで首の椎間板ヘルニアになった、痛みや体調不良を改善する為に考案された首整体器具で、老化して圧迫されて出来た椎間板ヘルニアになった部位を伸ばすと同時に、頭最長筋、頭板状筋、頭半棘筋等の縮んだ筋肉を伸ばすことが出来る、よって、血流が良くなり、頭痛、肩こり、体のコワバリが解消する。
【発明の効果】
【０００６】老化現象として、肩こり、頭痛、しびれ、動脈硬化、血行不良などの体調不良を改善する効果がある。
【図面の簡単な説明】
【０００７】
【図１】  首整体器具を、アゴ下に敷き、うつ伏せに成った人体側面図
【図２】  図１を頭の方向から見た正面図
【発明を実施するための最良の形態】
【０００８】首整体器具は、材料が安価で、製作加工が容易なので、販売価格が安くなるため需要側と供給側は最良の形態となる。
【実施例】
【０００９】以下、添付図面で実施例を説明する。
図１は、首整体器具を、アゴ下に敷き、うつ伏せに成った人体図で、アゴを支点にし、頭の重量を利用して、テコの応用で頚椎を伸ばす側面図
図２は、図１を頭の方向から見た図で、顔が下面に付かせない正面図
【産業上の利用可能性】
【００１０】医学界が、首整体器具を、利用すれば、世の中に大きく貢献し、利益を生む可能性がある。
【符号の説明】
【００１１】１    首整体器具
２    頭
３    人体
【図１】
2012095974.tif 000003
【図２】
2012095974.tif 000004
(57)【要約】      （修正有）【課題】便座の開け閉め時の衛生面と不快感の問題を軽減させるように便座の端に持ち手を設けた便座の開け閉め時の補助部を提供する。【解決手段】便座１の開け閉め時の補助部として、便座１に持ち手２を設け、持ち手２に触れて便座１の開け閉めを可能にした。【選択図】図１
2012095978.tif 000002
【特許請求の範囲】
【請求項１】
便座（１）の端に持ち手（２）を設けた便座及び補助部。
【発明の詳細な説明】
【技術分野】
【０００１】この発明は衛生的で簡単に行えるトイレの便座の開け閉め時の補助部に関するものである。
【背景技術】
【０００２】便座と便器の隙間に指先を入れて便座の開け閉めがされていた。
【先行技術文献】
【０００３】
【特許文献１】
【非特許文献１】
【発明の概要】
【発明が解決しようとする課題】
【０００４】これは次のような欠点があった。
従来、便座に手を触れて開け閉めされている。
直接、手で触れることで衛生面と不快感に問題があった。
本発明は以上のような欠点をなくすためになされたものである。
【課題を解決するための手段】
【０００５】便座（１）の端に持ち手（２）を設ける。
本発明は以上の構成よりなる便座補助部である。
【発明の効果】
【０００６】便座に持ち手があるので直接便座に手で触れることがなく衛生面と不快感の問題が軽減される。便座を使用する際は補助部が小型なため使用感に支障をきたすことはない。
【図面の簡単な説明】
【０００７】
【図１】本発明の斜視図である。
【図２】本発明の断面図である。
【図３】本発明の拡大図である。
【発明を実施するための形態】
【０００８】以上、本発明を実施するための形態について説明する。
便座（１）の端に持ち手（２）を固定する。
本発明は以上のような構造である。これを使用する時は便座に固定された持ち手に触れて便座を開け閉めすればよい。
その他、便座にあらかじめ持ち手部を設けた形状の便座。
【符号の説明】
【０００９】１．便座
２．持ち手
３．便器
【図１】
2012095978.tif 000003
【図２】
2012095978.tif 000004
【図３】
2012095978.tif 000005
(57)【要約】【課題】  従来は、箸箱は箸のみを収納するもので、箸置きは、別に扱い、家庭内で使用されているが、家庭以外、会社、学校、野外においては、使用されず、箸を置く時、箸を衛生的に置くは、難しく苦労している。本発明は、何処でも、衛生的に置くことができる箸箱を、提供する。【解決手段】  箸箱の蓋の内側（裏）に、台座を２箇所、回転自在に軸着して設け、収納し、蓋を引き抜き裏返して、台座を９０度回転させ、箸箱を蓋挿入溝に差し込むことによって、安定固定保持されたことを特徴とする、衛生的な箸置き用台座付き箸箱。【選択図】図２
2012095980.tif 000002
【特許請求の範囲】
【請求項１】
箸箱の蓋の一方の面に、前期箸箱の内側に出し入れ容易な幅の台座を回転自在に軸着し、前記蓋の一端に前記箸箱の開口部に入り込む突出部を設け、前記台座に平行嵌合部を設けて前記台座を安定保持することを特徴とする箸置き用台座付き箸箱。
【発明の詳細な説明】
【技術分野】
【０００１】本発明は、毎日食事に使用する箸置き用台座付き箸箱に関するものである。
【背景技術】
【０００２】従来、家庭においては、テーブルに箸置きを置き、箸を使用中は、箸の先端がテーブルに付かないようにしている。
なお、会社、学校等の、家庭外では、箸置きのない時は、ハンカチや紙等を敷き衛生面に配慮していることが知られている。
【発明の概要】
【発明が解決しようとする課題】
【０００３】家庭外の、会社、学校では、箸置きを持ち忘れたりして、箸を置く対象物との安全面、衛生面に問題がある。
本発明は、以上の問題点を解決するものである。
【課題を解決するための手段】
【０００４】箸箱の蓋の裏側に２箇所の台座を設け、蓋を引き抜き、裏返して、台座を９０度回転させ、その状態で箸箱の蓋を挿入溝に差し込むことで、台座が安定固定されて、箸置きの機能を持った箸箱となる。
以上の構成より成る箸置き用台座付き箸箱。
【発明の効果】
【０００５】  従来、家庭外で箸置きを持ち忘れると、箸を持ったまま、お茶を飲んだりして、何事をするにも片手で対応ことが多々あり、箸置き用台座付き箸箱があれば、両手が使え、何処でも箸を衛生的に置くことができる。
【図面の簡単な説明】
【０００６】
【図１】本発明の使用前の状態を示す斜視図
【図２】本発明の使用状態を示す斜視図
【発明を実施するための形態】
【０００７】（イ）以下、本発明の実施するための形態を図面に基づいて説明すると、箸箱（１）の蓋（２）の内側（裏面）に箸箱（１）内に収まる大きさの台座（３）の蓋（２）に接する面に、平行嵌合部（６）を形成すると共に、蓋（２）に台座（３）を２箇所、それぞれ丸嵌合部（５）、（５）を介して回転自在に軸着してあり（図２）、台座（３）が脱落しないように、台座（３）の表面方向から、ねじ（４）によって保持してある。
又、蓋（２）の一端には、箸箱（１）の開口部（８）の幅に入り込む突出部（７）を設ける。
（ロ）  蓋（２）を引き抜き（図１）、裏返して、台座（３）を９０度回転させて、蓋（２）を裏返したまま蓋挿入溝に差し込む。
（ハ）  蓋（２）を差し込むことで、台座（３）は箸箱（１）の内側幅と台座（３）の平行嵌合部（６）により、傾ぎなく保持され、安定した台座（３）が形成される。
本発明は、以上のような構造である。
本発明を使用するときは、箸箱（１）より蓋（２）を引き抜き裏返して、２箇所の台座（３）を、９０度回転させ、その状態で、箸箱（１）の蓋挿入溝に差し込むことで、台座（３）は箸箱（１）の内側幅で安定固定され、台座（３）は形成される。
よって、箸は２箇所の台座（３）、（３）に渡して置くことができる。
【符号の説明】
【０００８】１  箸箱
２  蓋
３  台座
４  ねじ
５  丸嵌合部
６  平行嵌合部
７  突出部
８  開口部
【図１】
2012095980.tif 000003
【図２】
2012095980.tif 000004
(57)【要約】【課題】ハンガー掛けには、壁面引っかき傷防止板は設けてなく、ハンガーを掛けるだけのものであり、ハンガーをハンガー掛けに掛けはずしする際、ハンガーの先端で誤って壁面に引っかき傷を付けてしまったり、壁紙を破ってしまうことがあった。【解決手段】ハンガー掛けに壁面引っかき傷防止板を設け、ハンガーの掛けはずし時ハンガー先端で壁面に引っかき傷を付けたり、壁紙を破らないよう、壁面をカバーできるようにした。【選択図】図１
2012095975.tif 000002
【特許請求の範囲】
【請求項１】
壁面引っかき傷防止板を設けたハンガー掛け
【発明の詳細な説明】
【技術分野】
【０００１】この発明は、ハンガー掛けの形状に関する。
【背景技術】
【０００２】従来のハンガー掛けには、壁面引っかき傷防止板は設けてなく、ハンガーを掛けるだけのものである。
【先行技術文献】
【特許文献】
【０００３】
【特許文献１】特許公開平７−２１３４１２  公開特許公報（Ａ）
【非特許文献】
【０００４】
【非特許文献１】登録実用新案第３１０４５４７号  登録実用新案公報（Ｕ）
【発明の概要】
【発明が解決しようとする課題】
【０００５】しかしながら、以上の技術によれば、ハンガーを、ハンガー掛けに、掛けはずしする際、ハンガーの先端で誤って壁面に引っかき傷を付けてしまったり壁紙を破ってしまったりすることがあった。
そこで、この発明はハンガーかけに、引っかき傷防止板を設け、ハンガーの掛けはずし時ハンガー先端での壁面への引っかき傷防止と壁紙破れ防止をすることを課題とする。
【課題を解決するための手段】
【０００６】以上の課題を解決するために、本発明はハンガー掛けに壁面引っかき傷防止板を設けたことを、特徴とするハンガー掛け。
【発明の効果】
【０００７】本発明によればハンガー掛けに壁面引っかき傷防止板を設けたことで、ハンガーをハンガー掛けにかけはずしする際、ハンガー先端が、壁面引っかき傷防止板があることで壁面に触れずに済み、壁面を傷つけたり壁紙を破ってしまうことを防止できる。
【図面の簡単な説明】
【０００８】
【図１】この発明の一実施形態を示す斜視図である。
【発明を実施するための形態】
【０００９】この発明の一実施形態を、図１に示す。
ハンガー掛け本体１に、壁面引っかき傷防止板２を設け、両面接着テープ４で、鴨居等壁面から少しせり出した部分に接着固定する。
【００１０】「実施形態の効果」
この実施形態によれば、ハンガーをハンガー掛けにかけはずし時、壁面引っかき傷防止板によりハンガー先端による壁面の損傷が防止できる。
【００１１】「他の実施形態」
図１の実施形態では、ハンガー掛け底面が両面接着テープで固着されているがハンガー掛け底面や壁面引っかき傷防止板に穴を開け画鋲や押しピンや釘やネジで、鴨居等壁面から少しせり出した部分や壁面に固着しても良い。
【００１２】壁面引っかき傷防止板を設けたハンガー掛けは、金属板の曲げ加工によるものに限らず、アルミや合成樹脂の押し出し成型でも良く、板状でなく固形状でも良く鋳物や木でもよい。
【００１３】壁面引っかき傷防止板を設けたハンガー掛けは、表面を塗装や壁紙で被覆装飾してもよい。透明な材料を使い塗装や被覆装飾をせずスケルトンにしてもよい。
【００１４】ハンガー掛け両端のキャップは、別部材にせず本体の端部を曲げ加工してもよい。
【００１５】壁面引っかき傷防止板を設けたハンガー掛けは、ハンガーを少数掛ける短いものから、室内、室外の柱間半間や１間用の長いものでも良い。
【符号の説明】
【００１６】１  ハンガー掛け本体    ２  壁面引っかき傷防止板    ３  端部キャップ
４  両面接着テープ      ５  ハンガー
【図１】
2012095975.tif 000003
(57)【要約】      （修正有）【課題】カップ麺に熱湯を注ぎ、蓋を閉めても気がつくと蓋が開いていたりして、カップ麺に記載している、時間も分からない事がある。蓋をしっかり止めて時間もきっちりはかれる器具を提供する。【解決手段】蓋を少し開けて熱湯を注ぎ、蓋を閉めてクリップ１で挟み、クリップ上部の左右の羽根３で蓋を押さえる。クリップ１上部につけたタイマー４で、時間をカップ麺の表示に合せてセットする。【選択図】図２
2012095983.tif 000002
【特許請求の範囲】
【請求項１】
タイマーの左右側部に羽根を設け、タイマーの底部にクリップを設けたことを特徴とするカップ麺作り器具。
【発明の詳細な説明】
【技術分野】
【０００１】  本発明は、カップ麺の蓋を、クリップで止めて、タイマーで時間をしっかりはかり、美味しく作るカップ麺作り器具に関するものである。
【背景技術】
【０００２】  従来は、カップ麺の蓋を少し開けて、熱湯を注ぎ再び蓋を閉めて３分間とか、４分間待つ間に、蓋が捲れうまく蒸れないとか時間に気づかず、美味しく食べられる時間を過ぎたりする事がよくある。
【発明の概要】
【発明が解決しようとする課題】
【０００３】  カップ麺の蓋を、少し開けて熱湯を注ぎ、蓋を閉めても蓋が捲れて開いているとか３分間、４分間の美味しく出来上がる時間が分からないので、美味しくならない。
本発明は、以上の問題点を解決するものである。
【課題を解決するための手段】
【０００４】  タイマーの左右側部に羽根を設けタイマーの底部にクリップを設ける
以上の構成よりなるカップ麺作り器具。
【発明の効果】
【０００５】  本発明により沢山食べられている、カップ麺の各こだわりの一番美味しい出来上がりになる。
【図面の簡単な説明】
【０００６】
【図１】  本発明の斜視図
【図２】  本発明の使用状態を示す斜視図
【発明を実施するための形態】
【０００７】  以下、本発明の実施の実態を説明する。
（イ）  挟み具クリップ（１）のバネ（２）を設ける。
（ロ）  挟み具クリップ（１）の左右に羽根部（３）を設ける。
（ハ）  羽根部（３）の上部にタイマー（４）を設ける。
本発明は、以上のような構造である。
本発明を、使用するときは、カップ麺の蓋を開け熱湯を注いだ後、蓋を閉めてタイマー（４）の時間を設定しクリップ（１）で、蓋をバネ（２）でしっかり止める。
蓋をしっかり羽根部（３）で押さえる。
【符号の説明】
【０００８】  １クリップ、  ２バネ、  ３羽根部、  ４タイマー
【図１】
2012095983.tif 000003
【図２】
2012095983.tif 000004
(57)【要約】      （修正有）【課題】生姜をすった後、突起部分の周りに取りきれない生姜が残らない、簡単に無駄なく生姜を擦ることができる、巻きす型生姜おろしを提供する。【解決手段】巻きす１の先方に、串のように先端を尖らせた部分２を設ける。従来のおろし器は生姜を動かして擦っていたが、本発明はしょうがを手で持ち固定し、反対の手で持っている巻きすを巻いた状態で持ち、生姜に少しずつ擦りつける。【選択図】図２
2012095987.tif 000002
【特許請求の範囲】
【請求項１】
巻きすの先端が串のように尖っており、巻いた状態で生姜を擦る生姜おろし。
【発明の詳細な説明】
【技術分野】
【０００１】  本発明は、生姜おろし器を巻きす型にしたもので、簡単に無駄なく生姜を擦りおろせるものである。
【背景技術】
【０００２】  おろし金や、すり器で生姜を擦ると、突起部分の周りにおろした生姜が残ってしまうことが一般的である。
【発明の概要】
【発明が解決しようとする課題】
【０００３】  従来のおろし金や擦り器では、次のような欠点があった。
（イ）、擦った後、突起部分の周りに生姜が残ってしまい、竹串などで取ったり、事前にアルミホイルなどを下に敷いたりと面倒だった。
（ロ）、取りきれない生姜は無駄にするしかなかった。
本発明は、これらの問題点を解決するためになされたものである。
【課題を解決するための手段】
【０００４】  巻きす（１）の先方に、串のように先端を尖らせた部分を設ける（２）。従来のおろし器は生姜を動かして擦っていたが、本発明は生姜を手で持ち固定し、反対の手で持っている巻きすを巻いた状態で持ち、生姜に少しずつ擦りつける。
【発明の効果】
【０００５】  本発明を使用することによって、巻いた巻きすの先端部分におろした生姜がくっつき、おろし生姜が簡単に擦れる。巻きすを広げ、手でスライドさせるように擦った生姜を取ると残らず取りきれる。
また本発明はお茶や調理中のだし汁などに直接入れることが出来るので、擦った後、手で生姜を取る作業をせず直接投入すれば、手間も省け無駄がない。
【図面の簡単な説明】
【０００６】
【図１】本発明の正面図
【図２】本発明の使用状態を示す斜視図
【発明を実施するための形態】
【０００７】  以下、本発明の実施の形態を説明する。
巻きす（１）の先方に、串のように先端を尖らせた部分を設ける（２）。従来のおろし器は生姜を動かして擦っていたが、本発明は生姜を手で持ち固定し、反対の手で持っている巻きすを巻いた状態で持ち、生姜に少しずつ擦りつける。
【符号の説明】
【０００８】１  巻きす
２  尖った先端
【図１】
2012095987.tif 000003
【図２】
2012095987.tif 000004
(57)【要約】      （修正有）【課題】言語における滑舌、顔の美容、歯並び、管楽器奏者における奏法などの改善には唇および顔面の筋肉強化が有効である。そのために唇および顔面に強い負荷をかけ、筋肉強化の度合いが強く、また、筋肉強化を段階的に進めることができる唇および顔面筋肉強化器具を提供する。【解決手段】保持部１の一端に重りの装着部２を設け、着脱自由な重り３を付属する。また、保持部１の他端には使用者が口に銜えるための唇との当接部７を設ける。重り３を適宜装着することによって器具の重量が増し、さらに唇および顔面に強い負荷をかけることができる。【選択図】図６
2012095984.tif 000002
【特許請求の範囲】
【請求項１】
保持部の延長に重りの装着部を設け、着脱自由な重りを付属していることを特徴とする、唇および顔面筋肉強化器具。
【請求項２】
保持部を中間部とし、重りの装着部とは他端に、上下唇または歯に当接する弁を設けたことを特徴とする、請求項１に記載の唇および顔面筋肉強化器具。
【請求項３】
弁の形状において、弁の横断面が半月形で孤状の曲線を有する、イルカ頭部形であることを特徴とする、請求項２に記載の唇および顔面筋肉強化器具。
【請求項４】
メッキや塗料で弁または器具全体にコーティングを施し、ゴム、シリコン、コルク、プラスチック等の柔らかい素材で、唇や歯との当接部や弁を保護する当接部・弁保護カバーを設けたことをしたことを特徴とする、請求項１ないし３のいずれか１項に記載の唇および顔面筋肉強化器具。
【請求項５】
重りの装着部をネジ状に、また、重りをナット状にしたことを特徴とする、請求項１ないし４のいずれか１項に記載の唇および顔面筋肉強化器具。
【発明の詳細な説明】
【技術分野】
【０００１】  本発明は、器具を唇に挟み、口にくわえ、保持し、器具の重量に抗することによって、唇および顔面に負荷をかけ、筋肉を強化するものであり、さらに重りを装着することで器具の重量を増し、筋肉を段階的に強化することができる、唇および顔面筋肉強化器具に関するものである。
【背景技術】
【０００２】  従来、唇および顔面の筋肉強化をする器具には、バネを利用し口の開閉運動を行い、筋肉を鍛練するものや、唇に挟み、口にくわえた器具を手で引っ張り、それに抗した力を唇に入れ、筋肉強化をはかるものがあった。
しかし、器具の重量を利用して、唇および顔面の筋肉を強化するものはなかった。
【先行技術文献】
【０００３】
【特許文献１】特許公開２００６−３１４６１９号公報
【特許文献２】特許公開平０９−２３９０６３号公報
【特許文献３】特許公開２００６−１５００１号公報
【特許文献４】特許公開２００３−２９９７０２号公報
【特許文献５】特許公開平１０−８７４２６号公報
【特許文献６】特許公開平８−１３１５７８号公報
【特許文献７】登録実用新案第３１２９７７７号
【発明の概要】
【発明が解決しようとする課題】
【０００４】  従来の唇および顔面筋肉強化器具には、次のような欠点があった。
（イ）口の開閉運動や口にくわえた器具を手で引っ張るなどの運動を必要とし、また、器具自体が軽量であるので、筋肉に十分な重量がかからない。従って、唇および顔面に強い負荷をかけることができず、筋肉強化の度合いが弱かった。
（ロ）器具の重量やバネの強さが一定で筋肉を段階的に強化することができなかった。
本発明は、以上の問題点を解決するために発明されたものである。
【課題を解決するための手段】
【０００５】  請求項１の発明は、保持部（１）の延長に重りの装着部（２）を設け、着脱自由な重り（３）を付属する。重りを装着することによって、器具の重量が増し、さらに唇および顔面に強い負荷をかけることができる。従って、唇および顔面の筋肉強化の度合いが弱い、また、筋肉を段階的に強化することができないという不都合を解決することができる。【０００６】  請求項２の発明は、保持部（１）を中間部とし、重りの装着部（２）とは他端に上下唇または歯に当接する弁（５）を設け、唇に挟み易くし、器具の使用状態を安定させたものである。【０００７】  請求項３の発明は、弁の形状において、弁の横断面が半月形で孤状の曲線を有するイルカ頭部形であることを特徴とする唇および顔面筋肉強化器具で、イルカ頭部形弁（６）のくわえ方を上下転回させることで、上下唇のどちらかの筋肉を場合に応じて集中的に強化することができる。【０００８】  請求項４の発明は、メッキや塗料で弁または器具全体にコーティングを施し、ゴム、シリコン、コルク、プラスチック等の柔らかい素材で唇や歯との当接部（４）や弁（５，６）を保護する当接部・弁保護カバー（７）を設けたことを特徴とする唇および顔面筋肉強化器具で、当接する唇や歯が傷つかないようにしたものである。【０００９】  請求項５の発明は、重りの装着部（２）をネジ状に、また、重り（３）をナット状にしたことを特徴とする唇および顔面筋肉強化器具で、装着した重りの自然落下を防ぐものである。
以上のような唇および顔面筋肉強化器具。
【発明の効果】
【００１０】  本発明を使用することにより、唇および顔面の筋肉が著しく強化されるが、また、それと同時に舌や顎の筋肉も強化される。従って、言語における滑舌の改善、顔の美容・表情の改善、歯並びの改善や虫歯予防、噛む力の強化、また、特に頑強な唇の筋肉を必要とする管楽器奏者における奏法の改善などに役立つ。
【図面の簡単な説明】
【００１１】
【図１】本発明（請求項１）の斜視図
【図２】本発明（請求項１）の断面図
【図３】本発明（請求項２）の斜視図
【図４】本発明（請求項３）の斜視図
【図５】本発明（請求項３）の断面図
【図６】本発明（請求項４）の斜視図
【発明を実施するための形態】
【００１２】  以下、本発明の実施の形態を説明する。
（イ）保持部（１）の延長に重りの装着部（２）を設け、着脱自由な重り（３）を付属する。
（ロ）保持部（１）を中間部として、重りの装着部（２）とは他端に、上下唇または歯に当接する弁（５）を設ける。
（ハ）弁の形状において、横断面が半月形で孤状の曲線を有するイルカ頭部形である弁（６）を設ける。
（ニ）メッキや塗料で弁部または器具全体にコーティングを施し、また、ゴム、シリコン、コルク、プラスチック等の柔らかい素材で当接部（４）や弁（５，６）を保護する当接部・弁保護カバーを設ける。
（ホ）重りの装着部（２）をネジ状に、また、重り（３）をナット状にする。
本発明は以上の構成よりなる。
本発明を使用する場合は、保持部（１）を持ち、唇の当接部（４）または弁（５，６）を上下唇で挟み、口にくわえ、本発明器具が落下しないように器具の重量に抗し、保持部から手を離し、唇の締める力で保持する。
【符号の説明】
【００１３】  １  保持部
２  重りの装着部
３  重り
４  唇の当接部
５  弁
６  イルカ頭部形弁
７  当接部・弁保護カバー
【図１】
2012095984.tif 000003
【図２】
2012095984.tif 000004
【図３】
2012095984.tif 000005
【図４】
2012095984.tif 000006
【図５】
2012095984.tif 000007
【図６】
2012095984.tif 000008
(57)【要約】      （修正有）【課題】背中、腰、に、手動でマグネットを広範囲に動かし押し当てる事で、指圧効果、血行促進効果の緩和する、万能ツボ押しマッサージ器を提供する。【解決手段】大きくＵ字形になったグリップ部分１を前後に動かすことで、梃子の原理でマグネット部分２が上下し、背中の広範囲に動かしマッサージをする。【選択図】図１
2012095982.tif 000002
【特許請求の範囲】
【請求項１】
背中、腰、に、手動でマグネットを広範囲に動かし押し当てる事で、指圧効果、血行促進効果の緩和する、万能ツボ押しマッサージ器である。
【請求項２】
足裏に、手動でマグネットを広範囲に動かし押し当てる事で、指圧効果、血行促進効果の緩和する、万能ツボ押しマッサージ器である。
【請求項３】
同じ万能ツボ押しマッサージ器で肩たたき、マッサージもできる、万能ツボ押しマッサージ器である。
【発明の詳細な説明】
【技術分野】
【０００１】  本発明は、マグネット活用した、体の手の届かない背中、腰、足の裏のツボを、刺激をし、指圧効果、又肩たたきにもなる、手動でマッサージができる万能ツボ押しマッサージ器である。
【背景技術】
【０００２】  手動式、マッサージ器の従来品は、全体がプラスチック製品等は、あったが本発明は、マグネットを活用した新しい、万能ツボ押しマッサージ器、ゴム球を付けた、また大きくＵ字形をした、形状が特徴である。
【先行技術文献】
【０００３】
【発明の概要】
【発明が解決しようとする課題】
【０００４】  本発明は、マグネットを利用し手動で本発明品を自分で前後に動かし、マグネットを広範囲に動かすことができ、背中の筋肉痛時の筋肉組織の血行うながし、背中、足裏のツボなどを、刺激し健康促進をうながす器具である。
【課題を解決するための手段】
【０００５】  本発明は、マグネットを活用し、大きくＵ字形になったグリップ部分を前後に動かすことで、梃子の原理でマグネット部分が上下し、背中の広範囲に動かしマッサージをする、又背中、足裏のツボマッサージなどは、大きくＵ字形なので本発明品のグリップ直線部分を自分で引く事によりツボマッサージができる。
肩こり時のマッサージにゴム球で肩をたたく事もできる。
体の体系に合わせたＵ字形の大きさが、大中小がある。
【発明の効果】
【０００６】  マグネットを広範囲に利用し、健康促進効果、筋肉痛時の筋肉組織の血行を改善し、コリをほぐします。
背中、腰、足裏ツボを刺激し内臓機能活性化。
今まで、指圧、マッサージ等は他人にやってもらわなければならないが、本発明品は、自分で指圧、マッサージが出来る。
【図面の簡単な説明】
【０００７】
【図１】本発明の斜視図
【図２】本発明のマグネット位置状態、拡大図
【発明を実施するため形態】
【０００８】  以下、本発明の実施の形態を説明する。
（イ）背中のツボへ（２）マグネット部分当て（５）ゴムクッションを胸下部分に置き、固定をし、（１）曲がった部分の本体グリップを前後することで、マグネット部分が上下をし、背中のツボへ刺激をし、又マッサージをする。
（１）直線部分の本体グリップを前へ出すことにより（２）マグネット部分が指圧効果をうむ。
（ロ）足の裏ツボは（１）直線部分の本体グリップ引くことにより指圧効果をうむ。
（ハ）肩のこりをほぐす、肩たたきは（１）直線部分の本体グリップ持ち（４）ゴム球を肩のこり部分に軽く、たたくことで肩のこりをほぐす促進効果。
【称号の説明】
【０００９】  １  本体グリップ部、  ２  マグネット、  ３  マグネット取付金物、  ４  ゴム球、  ５  ゴムクッション
【図１】
2012095982.tif 000003
【図２】
2012095982.tif 000004
(57)【要約】【課題】ストローと一体となった収納容器内に氷を収納してこれを飲みものの中に入れ、これにより飲みものを間接的に冷すことによって飲みものの味が薄くならない様にすることであり、いつまでも冷たく美味しい飲みものが飲める様にすること。【解決手段】収納容器２とストロー１とを一体とした構造から成るストロとし、この収納容器２内に氷を収納する様にした。【選択図】図１
2012095992.tif 000002
【特許請求の範囲】
【請求項１】
収納容器とストローとを一体とした構造から成る収納容器付ストロー。
【請求項２】
ストローが収納容器の内部を通る構造とした請求項１記載の収納容器付ストロー。
【請求項３】
収納容器内に収納された氷が、収納容器内に注がれた水を冷凍して凍らせた氷である請求項１又は２記載の収納容器付ストロー。
【発明の詳細な説明】
【技術分野】
【０００１】  本発明はストローと一体となった収納容器内に氷を入れて、アイスコーヒー、ジュースなどの飲みものを冷やす為の収納容器付ストローに関するものである。
【背景技術】
【０００２】  一般にアイスコーヒー、ジュースなどの冷たい飲みものの場合は氷を入れて長い間、冷たいものが飲める様にしているが、氷が溶けてくると味が薄くなってまずくなる。
【発明の開示】
【発明が解決しようとする課題】
【０００３】  本発明の目的はストローと一体となった収納容器内に氷を収納して、これを飲みものの中に入れ、これにより飲みものを間接的に冷やす事によって飲みものの味が薄くならない様にする事にあり、いつまでも冷たく美味しい飲みものが飲める様にする事にある。
【課題を解決する為の手段】
【０００４】  本発明は上記目的を達成する為、収納容器とストローとを一体とした構造から成る収納容器付ストローとし、この収納容器内に氷を収納する様にした。
【発明の効果】
【０００５】  本発明では氷を収納する収納容器とストローとが一体となった構造をしているので、これをアイスコーヒーやジュースの中に入れて飲めば、いつまでも冷たい飲みものが飲める。しかも氷と飲みものとが従来の様に直接的に接しているのではなく、収納容器を介して間接的に接しているので、氷が溶けても飲みものの味が薄くならず、いつまでも冷たく美味しい飲みものが飲める。この場合、氷を入れた収納容器の中をストローが通る構造とすれば飲みものがストローを通る時も周囲から冷やされる為、より一層冷たい飲みものを飲む事ができる。又、収納容器とストローとが一体構造であるから、ストローを持って飲みものをかき回せば（一体構造でないとできない）、飲みものを底の方からも効果的に冷やす事ができる。本発明では収納容器に多数のヒダを形成し、収納容器の表面積を増大させる事が望ましいが、この構成により氷と飲みものとの接触面積が極めて大となり、氷で直接飲みものを冷やすのと同等の冷やし方が可能となる。収納容器内の氷が溶けると、氷によって冷やされた冷水が収納容器の複雑な形状通りの形になるから、やはり氷と収納容器との有効接触面積は同じ様に維持される。又、ストローは収納容器と一体となっているので、この収納容器に多数のヒダを形成したり、収納容器を花形、魚形の断面などにデザインすれば、単なるストローの時よりも遊び心があり、形も美しく、楽しくなる。
【発明を実施する為の最良の形態】
【０００６】  図１は本発明による収納容器付ストローを示し、氷を収納する収納容器２とストロー１とを一体とした構造から成っている。収納容器２には多数のヒダ３を形成し、アイスコーヒー、ジュースなどの飲みものとの接触面積を増大させる事が望ましい。収納容器２の材質としては紙、シリコーンゴム、プラスチック、アルミニウム（箔）などが考えられる。ストロー１と収納容器２とをアルミニウムで作れば、使用後に洗って何回も繰り返して使える。収納容器２をアルニウム箔、紙で作る場合は図２（ロ）、（ハ）の如く穴４の周囲に補強リブａ、ｂを形成して、強度を増す様にする事が望ましい。通常は図２（イ）の如くメーカー側で収納容器２とストロー１とを別々に作っておき、消費者の方で収納容器２の底にある穴４にストロー１を差し込んで一体にして使う様にすれば、コスト的に安くなる。次に収納容器２内に氷を収納させる方法についてであるが、収納容器２の中に水を注ぎ入れ（上端部の１５ｍｍ下位まで注ぎ入れる）、これを倒れない様にコップなどの中に入れて、冷凍庫の中で冷凍して氷にするのである。もう一つの方法は、かき氷の様に氷を細かく砕いたものを収納容器２の中に詰め込む方法である。図３は本発明による収納容器付ストローの使用状態を示す図であり、図示の如く図１の収納容器付ストローをカップ５の中に入れ、アイスコーヒー、ジュースなどの飲みものを氷で間接的に冷やすのである。収納容器２はカップ５の底近くまで達しているから、飲みものは底の方からも冷やされ、ストロー１をかき回せばより効果的に冷やす事ができる。ストロー１が収納容器２の内部を通る構造とすれば、飲みものがストロー１を通る時に周囲からも冷やされ、より一層冷たい飲みものを飲む事ができる。図１に示す収納容器２は上方から見ると多数のヒダ３が放射状に延びた形のものであったが、図４（イ）の様に花形のものも考えられ、この他、魚の形なども考えられる。いずれも単なるストローよりは遊び心があり、楽しく形も美しい。尚、収納容器とストローとを一体構造とするに当り、図４（ロ）の如く収納容器の外部にストロー挿入穴６を形成しておき、ここにストローを挿入して一体構造としても良い。
【０００７】  図５（イ）に示す収納容器７は氷を収納する収納容器であり、これを図５（ロ）の如くカップ５の中に入れたアイスコーヒー、ジュースなどの飲みものに浮かべて、いつまでも冷たい飲みものを飲める様にしたものであり、図１とは異なりストローとは一体構造とはなっていない単なる収納容器のものである。図１と同様に氷は収納容器７を介して間接的に飲みものを冷やすから、氷が溶けても味が薄くならず、いつまでも美味しい飲みものを飲む事ができる。収納容器７の材質としてはアルミニウム（アルミニウム箔）が良く、紙、プラスチックなどでも良い。形としては花形、魚形などが考えられる。これを飲みものに浮かべると遊び心があり、楽しくなる（形も美しい）。収納容器７内に氷を収納する方法は既に述べた通りである。収納容器７の高さは４〜５ｃｍ位と少し高くして、飲みものの底まで良く冷える様にする。この収納容器７をお客様に使えば、大切な客として扱われていると感謝される。
【０００８】  尚、図１、図５においてこれらの収納容器に熱湯を注ぎ入れれば冷えたホットコーヒーを暖め直すことができる。
【図面の簡単な説明】
【図１】本発明による収納容器付ストローの図。
【図２】収納容器及びストローの図。
【図３】本発明の使用状態を示す図。
【図４】本発明における収納容器の実施例の各種を示す図。
【図５】氷を収納する収納容器及び使用状態の図。
【符号の説明】１はストロー、２は収納容器、３はヒダ、４は穴、５はカップ、６はストロー挿入穴、７は収納容器、ａ・ｂは補強リブである。
【図１】
2012095992.tif 000003
【図２】
2012095992.tif 000004
【図３】
2012095992.tif 000005
【図４】
2012095992.tif 000006
【図５】
2012095992.tif 000007
(57)【要約】【課題】本発明は、羽毛ふとん、その他のふとんカバーとして、使用するものである。羽毛ふとん、その他の軽量で暖かいふとんは、外縁部からの、外気（冷気）の侵入によって、暖かさが、損なわれる事が起る。その不快感を防ぎ、軽さも残したまま、暖かく眠る事ができるカバーを提供する。【手段】ふとんに使用する、カバーの外縁部に、その外気（冷気）の侵入を防ぎ、軽さを残したまま使用できる様に、外縁部に適度な、重さ、寸法を持ったものを取り附ける、上部には、より大きなものを使用すると、より効果的である。【選択図】図１
2012095991.tif 000002
【特許請求の範囲】
【請求項１】
綿製もしくは、ポリエステル使用など、通常使われる、ふとんカバーに羽毛ふとんその他の軽さが特徴であるふとんの、その軽さゆえに外縁部から特に冬に冷気が進入するのを防ぐ為に、羽毛ふとんその他のふとんの軽さをそこなう事なく、冷気（外気）進入を防ぐ、適度な重さを、カバーの外縁の部分に、持たせたふとんカバー肩の部分に接するカバー上部には、就寝中に出る汗による、ふとんへの汚れを防ぐ為、特に他の部分より、広く、重い、布もしくは、布状のものを附けた、ふとんカバーである。
【発明の詳細な説明】
【技術分野】
【０００１】本発明は、羽毛ふとんその他のふとんの、ふとんカバーであって、外縁部からの、冷気（外気）侵入を防ぐふとんカバーに関するものである。
【背景技術】
【０００２】従来、羽毛ふとんその他の、軽くて暖かいふとんは、体に負担を掛けにくいふとんとして重宝されている。
【発明の開示】
【発明が解決しようとする課題】
【０００３】羽毛ふとん、その他の軽くて暖かいふとんを使用する時、次のような問題点があった。
冬などに使用する時、軽さ故に、外縁部より冷気（外気）侵入を許す為に、暖かさが損なわれる。
本発明は以上の問題点を解決し、外縁部よりの冷気（外気）の侵入を防ぎ、ふとんの軽さを残したまま暖かさを保てる様になされたものである。
【課題を解決するための手段】
【０００４】羽毛ふとん、その他のふとんカバーの、外縁に、ふとんの軽さを、損なわない様に、冷気（外気）侵入を防ぐ様に、適度な重さを、又幅を、持たせた、布又は、布相応のものを取り附け、又は、縫い附けたふとんカバーである。
【発明の効果】
【０００５】本発明を使用すると、ふとんの軽さを損なう事なく、暖かさを保て、寝室の就寝時の室温もより低くても、快適に就寝でき、省エネの時代の流れにもそった、ふとんカバーである。
【発明を実施するための最良の形態】
【０００６】以下本発明の実施の形態を説明する。
（イ）ふとんカバーの外周部に▲１▼普通のタオル１枚分を縦に１／４半折りにした程度の重さ、及び、幅、長さを持ったものを取り附ける、又はぬい附ける。
（ロ）カバー上部は、汗その他による、ふとんへのよごれの付着を防ぐのと、冷気（外気）の侵入しやすい部分なので、大型のバスタオル程度のものを使用した方が効果が大きい。
（ハ）▲３▼のようなふとんの片寄りを防ぐ、ふとんを固定しやすくする、ものを作る。
本発明を使用する時は、ふとんカバーとして使用する。
【図面の簡単な説明】
【０００７】
【図１】本発明の斜視図
【符号の説明】
【０００８】▲１▼普通のタオルを半折りにした程度の重さ、幅、長さを持ったもの。
▲２▼大型のバスタオル程度の重さ、寸法を持ったもの。
▲３▼ふとんの片寄りを防ぐもの（８ヶ所程度）
【図１】
2012095991.tif 000003
(57)【要約】      （修正有）【課題】コーヒー等カップ内の飲み物に砂糖やミルクを入れて攪拌する時スプーンやマドラーを使用する、オフィスなどで使用する個人用マグカップには受け皿がない為使用後のスプーンやマドラーを置いておくことが出来ない。カップ内のスプーン及びマドラーを保持する。【解決手段】カップの縁にフィギュア型保持器具１の二又状の脚部２を差し込みカップ内に突き出た腕部５で専用のスプーン及びマドラーを挟み込む器具。【選択図】図１
2012095817.tif 000002
【特許請求の範囲】
【請求項１】
二又状脚部でカップの縁に取付る機能を有したフィギュア型スプーン保持具上部に腕部を設けた、構成からなるフィギュア型スプーン保持器具。
【発明の詳細な説明】
【技術分野】
【０００１】
本発明はマグカップ等使用時のスプーンまたはマドラーと一対のフィギュア型保持器具に関するものである。
【背景技術】
【０００２】
従来カップ内で攪拌したスプーンやマドラーをカップ内で保持するには指で動かないように押さえるしかなかった。
なお紙コップ等に付属するプラスティックのマドラーにはヘアピン状の保持機構が知られている。
【先行技術文献】
【特許文献】
【０００３】
【特許文献１】登録実用新案第３１１５４６０号
【発明の概要】
【発明が解決しようとする課題】
【０００４】
コーヒー等カップ内で砂糖やミルクを攪拌する為スプーンやマドラーを使用するが、オフィスなどで使用する個人用のマグカップには受け皿がない為スプーンやマドラーを置いておくことが出来ない。
本発明は以上の問題点を解決する為になされたものである。
【課題を解決するための手段】
【０００５】
二又状脚部でカップの縁に取り付ける機能を有したフィギュア型スプーン保持具上部に腕部を設けた、構成からなるフィギュア型スプーン保持器具。
カップの縁に保持機能を有したフィギュアを取り付け、カップ内に突き出たフィギュアの腕の部分でスプーン及びマドラーをはさみ保持する器具である。
以上の構成からなるスプーンまたはマドラーと一対のフィギュア型保持器具。
【発明の効果】
【０００６】
従来攪拌後のスプーン及びマドラーの置き場に困っていたが本発明によりカップ内に確実に保持する事が出来る。
【図面の簡単な説明】
【０００７】
【図１】本発明の使用状態を示す斜視図
【図２】本発明に付属するスプーン
【図３】フィギュア型保持器具の斜視図
【発明を実施するための形態】
【０００８】
以下、本発明の実施の形態を説明する。
（イ）マグカップ等（３）の縁をはさむ為フィギュア型保持器具（１）に二又状の脚部（２）を設ける。
（ロ）付属のスプーン（４）を抱けるように突き出た腕部（５）を設ける。
本発明は以上のような構造である。
本発明を使用するときは、マグカップ等（３）の縁にフィギュア型保持器具（１）の二又状の脚部（２）ではさみ込むように取り付ける。
マグカップ（３）内の飲料（６）を付属のスプーン（４）で攪拌した後保持器具（１）の腕部（５）に抱かせて保持する。
【符号の説明】
【０００９】
１フィギュア型保持器具
２二又状脚部
３マグカップ等
４付属スプーン
５腕部
６飲料等
【図１】
2012095817.tif 000003
【図２】
2012095817.tif 000004
【図３】
2012095817.tif 000005
(57)【要約】【課題】  素人が野菜等の植物栽培を鉢やプランターで行う場合、定期的な水遣りや肥料散布、病害虫の駆除、寒冷時の保温などの日々の維持管理が面倒であり、上手く栽培することは難しい。また、都市住宅等の僅かなスペースでの植物栽培は、平均的な日当たりを配慮しながらスペースを有効活用するために様々な工夫が必要である。【解決手段】  透明天板３と透明側面カバー２で囲まれた縦型多段立体型の構造フレーム１内の各段に水位調節可能な保水トレー４を設ける。ソーラパネル１１で発電した電力で駆動する循環ポンプ６にて、底面に設置した貯水タンク５より、最上段の保水トレー４から下位段に水や養液を定期的に循環供給する。【選択図】図１
2012095633.tif 000002
【特許請求の範囲】
【請求項１】
透明天板と透明側面カバーで囲まれた多段立体型の構造フレームを設け、その各段に水位調節可能な保水トレーを階段式に設けた多目的型植物栽培装置。
【請求項２】
請求項１の底面に貯水タンクを設け、ソーラパネルで発電した電力で駆動する循環ポンプにて、請求項１の最上段の保水トレーから下位段に水や養液を定期的に循環供給する多目的型植物栽培装置。
【発明の詳細な説明】
【技術分野】
【０００１】  本発明は、ソーラパネルで発電した電力にて水遣りを自動的に行ない、都市住宅等の僅かなスペースを最大限有効活用できる多目的型植物栽培装置に関するものである。
【背景技術】
【０００２】  畑地等の栽培専用地や栽培専用設備を使用しないで、野菜等の植物栽培を素人が手軽に行うための園芸機材は数多く実用に供されている。最も一般的なものは鉢やプランターであり、培養土や自家調合した培地などを入れて蒔種や苗植にて栽培する。僅かなスペースを少しでも有効活用すべく、階段式の花壇等などの主に草花の鉢栽培を対象にした園芸関連機材も実用に供されている。病害虫の進入防止と寒冷時の保温などのために利用することを目的に、ビニールハウス等の透明材料で覆った比較的小型の園芸機材も実用に供されている。
よりレベルの高い野菜栽培を目指す人向けに、特定の養液水と培地等を用いた小型水耕栽培装置が実用に供されている。この装置は、貯水タンク内に直接野菜の根が張るようにしたものやハイドロカルチャー等の培地を用いたもの、養液水をポンプで循環するものや循環しないものなどが市販されている。
【先行技術文献】
【０００３】
【特許文献１】  特許公開２００４−１３５５３４
【特許文献２】  特許公開平１０−１１３０８１
【特許文献３】  特許公開平５−２７６８３５
【発明の概要】
【発明が解決しようとする課題】
【０００４】  野菜等の植物栽培を鉢やプランターで行う場合、定期的な水遣りや肥料散布を行うなど、日々の維持管理をしないと上手く栽培できない。特に、野菜等の乾燥に弱い植物を夏期に栽培する場合は、日々の水遣りを少しでも怠ると直ぐに枯れてしまう。逆に、過剰な水遣りをすると根腐れして上手く栽培できない場合もあり、植物の種類によって異なった対応が必要となる。
都市住宅等の僅かなスペースでの植物栽培は、平均的な日当たりを配慮しながらスペースを有効活用するために様々な工夫が必要である。鉢やプランターなどの植物栽培では、平面的に置かないと成長に必要な太陽光が得られないため、数多くの植物栽培を行うことは困難である。
病害虫進入防止と寒冷時保温を目的としたビニールハウス等は、僅かなスペースでの利用を目的とした多段立体型のものは下位段には太陽光が当たり難く、庭等での利用を目的としたものでも最低限一坪程度の平坦な場所が必要である。
市販されている小型水耕栽培装置は、太陽光が平均的に当たる南面に設置したビニールハウスや透明材料で覆ったベランダなどに設置する必要かある。特に、養液水を循環するタイプでは、ポンプを駆動するための家庭用電源が得られる場所にしか設置できない。
本発明は、これらの問題点を解決するものである。
【課題を解決するための手段】
【０００５】  透明天板と透明側面カバーで囲まれた多段立体型の構造フレーム内の各段に水位調節可能な保水トレーを設ける。ソーラパネルで発電した電力で駆動する循環ポンプにて、底面に設置した貯水タンクより、最上段の保水トレーから下位段に水や養液を定期的に循環供給する。以上の構成よりなる植物栽培装置である。
【発明の効果】
【０００６】  貯水タンクに比較的少ない頻度で水や養液を補給するだけで、水遣りや肥料散布などの日々の維持管理を減らすことが出来る。階段式立体的に保水トレーを配置することにて、設置スペースを有効活用しながら平均的な日当りを確保することができる。構造フレームを直に透明天板と透明カバーで覆うことにより、ビニールハウス等を導入しなくとも病害虫の進入防止と寒冷時の保温が可能である。保水トレー上には、培養土等の培地を入れた植物鉢を配置したり水耕栽培用培地を乗せたりなど多目的に利用可能である。
以上の利点を有する植物栽培装置である。
【図面の簡単な説明】
【０００７】
【図１】植物栽培装置の全体構成図である。
【図２】ソーラパネルで発電した電力にて循環ポンプを駆動する機器の概要図である。
【発明を実施するための形態】
【０００８】（イ）鴨居基準に作業性の良い幅高さと段数の構造フレーム（１）を設け、その上面と全側面を太陽光を良く通すプラスチックやガラス等の透明カバー（２）と透明天板（３）にて覆う。
（ロ）階段式に設けた保水トレー（４）の最上段に、貯水タンク（５）内の水や養液を循環ポンプ（６）と送水パイプ（７）にて供給し、排出穴（８）より排出パイプ（９）にて中段の保水トレー（４）を経て最下段の排出穴（８）より貯水タンク（５）に循環回収する。
（ハ）保水トレー（４）上には植物栽培に必要な培土を入れた植物鉢（１０）などを配置し、該当植物の特性に合致した保水量は、排水穴（８）の水位調節機能と保水トレー（４）自体の水平からの傾きにて調整する。
（ニ）循環ポンプ（６）による保水トレー（４）への水遣り量は、ソーラパネル（１１）にて発電し充放電コントローラ（１２）を経てバッテリー（１３）に蓄えられた電力を用い、２４時間タイマー（１４）で設定した時刻に設定した時間だけ繰返し駆動することにて制御する。
（ホ）図１の装置は数台の同じ装置を横連結することが可能であり、図２の一台の制御装置にて、図１の連結または非連結の数台の装置を駆動することができる。
本発明により、循環ポンプ（６）の水遣り時刻時間と保水トレー（４）の保水量の最適な組合せにより、夏期での乾水を防いだり過剰な水遣りによる根腐れを無くすことができるため、特性の異なる各種の植物栽培が可能となる。
【符号の説明】
【０００９】  １  構造フレーム    ２  透明カバー（全側面）        ３  透明天板
４  保水トレー      ５  貯水タンク                  ６  循環ポンプ
７  送水パイプ      ８  排出穴（兼水位調整機能）    ９  排出パイプ
１０  植物鉢        １１  ソーラパネル              １２  充放電コントローラ
１３  バッテリー    １４  タイマー（２４時間）
【図１】
2012095633.tif 000003
【図２】
2012095633.tif 000004